(57)【要約】【課題】その一部を容易に取り換えられるようにした自転車のチェーンリングカバーを提供する。【解決手段】自転車のチェーンリングの外側に取付けるチェーンリングカバーであって、上記チェーンリングカバーＡは、上記チェーンリングＢの外側に位置する下カバー１と当該下カバー１の外側に位置する上カバー２から成り、当該上カバー２の表面に色彩又は図柄を施し、上記下カバー１をチェーンリングＢ又はクランクＣに取付け固定し、上記下カバー１に対して上記上カバー２を着脱自在とした。また、上記下カバー１及び上カバー２を略円板形状とし、当該略円板形状の外縁の一部から中心部に向けてクランクＣが入る切り欠きを夫々設け、上記下カバー１をチェーンリングＢ又はクランクＣに取り付けた。【選択図】図１
0003202328.tif 000002
【実用新案登録請求の範囲】
【請求項１】
自転車のチェーンリングの外側に取付けるチェーンリングカバーであって、
上記チェーンリングカバーは、上記チェーンリングの外側に位置する下カバーと当該下カバーの外側に位置する上カバーから成り、当該上カバーの表面に色彩又は図柄を施し、
上記下カバーをチェーンリング又はクランクに取付け固定し、
上記下カバーに対して上記上カバーを着脱自在としたことを特徴とする、チェーンリングカバー。
【請求項２】
上記下カバー及び上カバーを略円板形状とし、当該略円板形状の外縁の一部から中心部に向けてクランクが入る切り欠きを夫々設け、上記下カバーをチェーンリング又はクランクに取り付けたことを特徴とする、上記請求項１に記載のチェーンリングカバー。
【請求項３】
上記下カバーに対して上記上カバーを着脱自在とした構成は、雄雌形状の着脱部材、係止部材又は嵌合部材であることを特徴とした、上記請求項１又は２に記載のチェーンリングカバー。
【請求項４】
上記上カバーを光を透過する材質から形成し、上記チェーンリングカバーの下カバーと上カバーの間に発光装置を内蔵させ、
当該上カバーを発光させる構成としたことを特徴とする、上記請求項１、２又は３の何れかに記載のチェーンリングカバー。
【請求項５】
上記チェーンリングカバーは、
一定の高さの外縁を備えた略円板形状であって、中央部は上記外縁の突出方向に略円錐台形状に膨出させ、中心部には開口を設け、当該開口の周囲を一定幅の内周縁として設け、上記外縁の一端から上記開口に至るクランクが入る切欠きを設けた下カバーと、
一定の長さの突出した外縁を備えた略円板形状であって、上記外縁の一端から中心部に向けてクランクが入る切欠きを設けた上カバーと、
頭部と外周にねじ山を有する脚部から成り、当該頭部の上面及び上記脚部の下面に凹部を夫々設けた特殊ボルトから成り、
自転車のクランク軸にボルトで頭部を固定させたクランクの、当該ボルトの頭部が嵌合したねじ切り孔の表面周囲に上記下カバーの開口の内周縁を当て、上記下カバーの開口及び切欠き内に上記クランクを入れて、当該クランクの頭部に上記下カバーを被せ、
当該クランクの頭部の表面のねじ切り孔内に位置する上記ボルトの頭部に上記特殊ボルトの脚部の下面の凹部を被せて上記クランクの表面のねじ切り孔内に上記特殊ボルトを螺着して上記下カバーを上記クランクに固定し、
この上から上記上カバーを被せて、当該下カバーの外縁内に上記上カバーの外縁を嵌め入れて当該下カバー及び上カバーをチェーンリングに取り付けたことを特徴とする、上記請求項１、２、３又は４の何れかに記載のチェーンリングカバー。
【考案の詳細な説明】
【技術分野】
【０００１】
この考案は、自転車のチェーンリングに取り付けるチェーンリングカバーであって、当該チェーリングカバーを主に二つの部材から形成し、表面の部材を様々な模様や絵柄等を施したものに取り換えることが出来る、着せ替え可能な、チェーンリングカバーに関するものである。
【背景技術】
【０００２】
自転車は、環境に優しく、子供から大人に至るまで、手軽な移動手段として、従来、盛んに利用されている。また、スポーツ競技としても古くから人気がある。
【０００３】
この様な自転車は、円板状のチェーンリングの中心に設けられた軸に、両側からクランクを１８０度ずらして取り付け、当該各クランクの先端には略直角にペダルが取り付けられ、当該各ペダルに乗る者の両足を乗せ、こぐようになっている。
【０００４】
そして、一般的には、チェーンリングにはカバーが取り付けられているが、競技用またアウトドアスポーツ用のものは車体を軽くするため、カバーが取り付けられていないものもある。
【０００５】
しかし、上記チェーンリングは、速い速度で回転するため、人の足や衣服等が接触すると怪我をしたり、巻き込まれたりする恐れがあり、危険である。また、上記チェーンリングには回転を円滑にするためグリス等が塗られており、人の足や衣服等が接触すると汚れてしまう。そこで、前述の様なスポーツタイプの自転車においても後付けとして、当該チェーンリングには外側から、カバーを取り付けることが行われている。
【０００６】
この様なカバーとして、特許文献１に記載されたものがある。これは、クランクギアに取り付けられている一方のクランクのペダルを外し、その上から円板状で中央部が緩やかに突出した、周囲カバー部と一体な中央カバー部から成る安全カバーを被せ、クランクギアに取り付けねじで固定されたものである。
【０００７】
取り付けの際、安全カバーの周囲カバー部に設けたクランク貫通孔にクランクを通し、当該安全カバー中央部をクランクの軸部に位置させ、その状態で安全カバーをクランクにねじ止めする。このねじ止めは、取り付けねじをクランクギアに設けられたねじ孔に通して螺着して行われる。
【先行技術文献】
【特許文献】
【０００８】
【特許文献１】実用新案登録第２５６３６６１号公報
【考案の概要】
【考案が解決しようとする課題】
【０００９】
上記特許文献１の安全カバーの取り付けにあたって、ペダルを取り外し、クランクの先端部を安全カバーの端部のクランク貫通孔に挿入し、そのまま安全カバーをクランクギアの位置まで持ち上げなければならないと言った、手間がかかるものである。
【００１０】
また、この特許文献１の安全カバーはクランクギアにしっかりと固定されるもので、一度取り付けたら破損でもしない限り、取り外すと言うことはない。すなわち、この特許文献１の安全カバーには単に安全の為と言う役割しか求められていない。
【００１１】
しかしながら、この様な安全カバーに、装飾性を持たせ、模様や絵柄などを施し、その様なものを複数用意しておけば、その日の気分、天候又は季節により、着せ替え人形のように容易に取り換えることが出来れば、自転車に乗ることをもっと楽しくすることが出来る。
【００１２】
この考案は、これらの点に鑑みて為されたもので、自転車のチェーンリングカバーの一部を容易に取り換えられるようにした着せ替え可能な、チェーンリングカバーを提供して上記課題を解決するものである。
【課題を解決するための手段】
【００１３】
請求項１の考案は、自転車のチェーンリングの外側に取付けるチェーンリングカバーであって、上記チェーンリングカバーは、上記チェーンリングの外側に位置する下カバーと当該下カバーの外側に位置する上カバーから成り、当該上カバーの表面に色彩又は図柄を施し、上記下カバーをチェーンリング又はクランクに取付け固定し、上記下カバーに対して上記上カバーを着脱自在としたチェーンリングカバーとした。
【００１４】
請求項２の考案は、上記下カバー及び上カバーを略円板形状とし、当該略円板形状の外縁の一部から中心部に向けてクランクが入る切り欠きを夫々設け、上記下カバーをチェーンリング又はクランクに取り付けた上記請求項１に記載のチェーンリングカバーとした。
【００１５】
請求項３の考案は、上記下カバーに対して上記上カバーを着脱自在とした構成は、雄雌形状の着脱部材、係止部材又は嵌合部材である上記請求項１又は２に記載のチェーンリングカバーとした。
【００１６】
請求項４の考案は、上記上カバーを光を透過する材質から形成し、上記チェーンリングカバーの下カバーと上カバーの間に発光装置を内蔵させ、当該上カバーを発光させる構成とした上記請求項１、２又は３の何れかに記載のチェーンリングカバーとした。
【００１７】
請求項５の考案は、上記チェーンリングカバーは、一定の高さの外縁を備えた略円板形状であって、中央部は上記外縁の突出方向に略円錐台形状に膨出させ、中心部には開口を設け、当該開口の周囲を一定幅の内周縁として設け、上記外縁の一端から上記開口に至るクランクが入る切欠きを設けた下カバーと、一定の長さの突出した外縁を備えた略円板形状であって、上記外縁の一端から中心部に向けてクランクが入る切欠きを設けた上カバーと、頭部と外周にねじ山を有する脚部から成り、当該頭部の上面及び上記脚部の下面に凹部を夫々設けた特殊ボルトから成り、自転車のクランク軸にボルトで頭部を固定させたクランクの、当該ボルトの頭部が嵌合したねじ切り孔の表面周囲に上記下カバーの開口の内周縁を当て、上記下カバーの開口及び切欠き内に上記クランクを入れて、当該クランクの頭部に上記下カバーを被せ、当該クランクの頭部の表面のねじ切り孔内に位置する上記ボルトの頭部に上記特殊ボルトの脚部の下面の凹部を被せて上記クランクの表面のねじ切り孔内に上記特殊ボルトを螺着して上記下カバーを上記クランクに固定し、この上から上記上カバーを被せて、当該下カバーの外縁内に上記上カバーの外縁を嵌め入れて当該下カバー及び上カバーをチェーンリングに取り付けた上記請求項１、２、３又は４の何れかに記載のチェーンリングカバーとした。
【考案の効果】
【００１８】
請求項１〜５の各考案によれば、チェーンリングカバーを下カバーと上カバー等から形成し、この上カバーの表面に色彩又は図柄を施し、上記下カバーに対して上記上カバーの取り付け、取り外しを自在としたので、この様な上カバーを複数用意しておけば、その日の気分、天候又は季節により、着せ替え人形のように容易に取り換えることが出来れば、自転車に乗ることをもっと楽しくすることが出来る。
【００１９】
これにより、自転車に乗る機会を増やすことが出来、また、自転車を利用する人の数を増やすことが出来るので、自転車の需要を増やすことが出来る。
【００２０】
さらに、請求項２及び５の各発明によれば、下カバー及び上カバーの略円板形状の外縁の一端から中心部に向けてクランクが入る切り欠きが夫々設けられているので、クランクの上から上下カバーを取り付けることが出来、チェーンリングカバーを付けていない自転車に、このチェーンリングカバーを容易かつ確実に取り付けることが出来る。すなわち、既存の自転車のクランクやペダルを取り外すことなく、このチェーンリングカバーを取り付けることが出来る。
【００２１】
また、請求項３の考案によれば、下カバーに対して上記上カバーを着脱自在とした構成は、雄雌形状の着脱部材、係止部材又は嵌合部材としたので、取り付けた際はしっかりと取り付けることが出来、また、取り外しをする際は容易に取り外しをすることが出来、使い勝手が良いものである。
【００２２】
さらに、請求項４の考案によれば、上カバーを発光させる構成としたので、夜間や薄暗い昼間などでも、チェーンリングカバーが光って奇麗である。また、チェーンリングカバーが光ることで自身の存在を他人に伝えることが出来、安全である。
【図面の簡単な説明】
【００２３】
【図１】この考案の実施の形態例１のチェーンリングカバーをクランクに取付けた状態の断面図である。
【図２】この考案の実施の形態例１のチェーンリングカバーの下カバーの正面図である。
【図３】この考案の実施の形態例１のチェーンリングカバーの下カバーを倒した状態の側面図である。
【図４】この考案の実施の形態例１のチェーンリングカバーの下カバーの背面図である。
【図５】この考案の実施の形態例１のチェーンリングカバーの上カバーの正面図である。
【図６】この考案の実施の形態例１のチェーンリングカバーの上カバーを倒した状態の側面図である。
【図７】この考案の実施の形態例１のチェーンリングカバーの上カバーの背面図である。
【図８】この考案の実施の形態例１のチェーンリングカバーの特殊ボルトの平面図である。
【図９】この考案の実施の形態例１のチェーンリングカバーの特殊ボルトの断面図である。
【図１０】この考案の実施の形態例１のチェーンリングカバーの特殊ボルトの底面図である。
【図１１】この考案の実施の形態例１のチェーンリングカバーを取り付けるクランク軸、クランク及びチェーンリングの断面図である。
【図１２】この考案の実施の形態例１のチェーンリングカバーの下カバーをクランクに取付けた状態の断面図である。
【図１３】この考案の実施の形態例１のチェーンリングカバーの下カバーをクランクに取付けた状態の正面図である。
【図１４】この考案の実施の形態例１のチェーンリングカバーであって、水玉模様の上カバーを取付けた状態の正明図である。
【図１５】この考案の実施の形態例２のチェーンリングカバーをクランクに取付けた状態の断面図である。
【考案を実施するための形態】
【００２４】
（実施の形態例１）
以下、この考案の実施の形態例１のチェーンリングカバーを図に基づいて説明する。この実施例１のチェーンリングカバーＡは、図１に示す様に、自転車に取付けた際、上記チェーンリングＢの外側に位置する下カバー１とこの下カバー１のさらに外側に位置する上カバー２及び特殊ボルト３から成る。
【００２５】
上記下カバー１は、図２、図３及び図４に示す様に、一定の高さの外縁１ａを備えた略円板形状であって、中央部は外縁の突出方向に円錐台形状に膨出して、その中心は開口１ｇとなっており、この開口１ｇの周囲は一定幅の内周縁１ｈが突出している。また、上記外縁１ａの内側に、上記開口１ｇを中心にして二重の略環状のリブ１ｂ、１ｃを補強のため立設しており、上記外縁１ａの一端から上記開口１ｇへ至る箇所に切欠き１ｄを設けている。さらに、上記外縁１ａの内側の根元に複数の切抜き１ｅを間隔をあけて設けており、また、この下カバー１の上記切欠き１ｄを挟んだ上記外縁１ａに近い対向する箇所にねじ孔１ｆを夫々設けている。
【００２６】
上記上カバー２は、図５、図６及び図７に示す様に、一定の長さの突出した外縁２ａを備えた略円板形状とし、上記外縁２ａの一端から中央部に向けて小切欠き２ｂを設けている。また、この上カバー２の外縁２ａの先端の外側には間隔をあけて複数の係止爪２ｃが設けられており、また、この上カバー２の上記小切欠き２ｂを挟んだ上記外縁２ａに近い対向する箇所に孔２ｄを夫々設けている。
【００２７】
上記特殊ボルト３は、図８、図９及び図１０に示す様に、頭部３ａと脚部３ｂとから成り、頭部３ａの上端面及び脚部３ｂの下端面に夫々凹部を設けており、脚部３ｂの外周にはねじ切りが施されており、上端面の凹部は平面視六角形状の孔３ｃとなっている。また、この特殊ボルト３の頭部３ａの外径は、上記下カバー１の中央部の開口１ｇの内径より大きいものとなっている。
【００２８】
ペダルを取り付けるクランクＣは既存のものであり、図１１に示す様に、このクランクＣの頭部には、予め表裏面に、裏面には角形の、表面には円形の凹部が夫々設けられており、これらの凹部の間の壁には表裏面を繋ぐ小貫通孔４ｃが穿たれ、上記表面側の凹部の内周にはねじ切りが施されてねじ切り孔４ａとなっており、裏面の凹部にはねじ切りがされておらず、クランク軸Ｄが入る孔４ｂとなっている。
【００２９】
そして、上記クランクＣの頭部の孔４ｂを、突出したクランク軸Ｄに被せ、このクランクＣのねじ切り孔４ａ側から上記小貫通孔４ｃを通って上記クランク軸Ｄの端面のねじ切り孔にボルト５を螺着してこのクランクＣのねじ切り孔４ａ内において、上記ボルト５の頭部の周囲に隙間をあけてこのクランクＣは上記クランク軸Ｄに取付けられている。
【００３０】
次に、このチェーンリングカバーＡを自転車に備えられたチェーンリングＢに取付ける様子を図１、図１１、図１２及び図１３に基づいて説明する。図１、図１３に示す様に、上記クランクＣの上から上記下カバー１の開口１ｇ及び切欠き１ｄ内に上記クランクＣを嵌め入れて当該下カバー１を被せる。この時、上記クランクＣの頭部の表面の上記ねじ切り孔４ａの周囲に、上記下カバー１の開口１ｇの内周縁１ｈが重なるようにする。さらに、上記開口１ｇを通って上記クランクＣの頭部のねじ切り孔４ａ内に位置する上記ボルト５の頭部に上記特殊ボルト３の脚部３ｂを被せ、上記下カバー１の内周縁１ｈを上記特殊ボルト３の頭部３ａで挟んだ状態で、六角レンチ（図示省略）を特殊ボルト３の孔３ｃに入れてこれを回し、当該特殊ボルト３を上記ねじ切り孔４ａに螺着し、上記下カバー１を上記クランクＣに固定する。
【００３１】
この上から、図１に示す様に、上記上カバー２を被せて、上記下カバー１の外縁１ａ内に上記上カバー２の外縁２ａを嵌め入れ、この上カバー２の各係止爪２ｃを下カバー１の各切抜き１ｅに入れて係止してこの下カバー１と上カバー２を一体にし、当該下カバー１と上カバー２をチェーンリングＢの外側に取り付ける。最後に、下カバー１のねじ孔１ｆと上カバー２の孔２ｄの位置を合わせた外側からねじ６（図１４参照）を螺着して、下カバー１と上カバー２を固定する。
【００３２】
上記上カバー２に施す図柄としては、模様、絵柄又は写真のプリントがある。色彩としては、落ち着いた色合いのものから奇抜な色合いのもの、単色のものから複数の色の組み合わせまで何でも良く、また、模様としては、水玉模様（図１４参照）、縞模様又は花柄模様など何でも良い。さらに、絵柄又は写真のプリントなど、季節ごとのイベントの絵柄などを施しても良い。例えば、ハロウイーン、クリスマス、正月、雪景色、桜祭り、桃の節句、端午の節句等々である。さらに、海、山などの景色、犬、猫などの動物、アニメのヒーロー、ヒロインなど絵柄が施せるものなら何でも良い。
【００３３】
次に、この考案の実施の形態例２のチェーンリングカバーＡ´を図１５に基づいて説明する。ここでは、上記実施の形態例１のチェーンリングカバーＡと異なる構成のみを説明する。この実施の形態例２のチェーンリングカバーＡ´は、上記実施の形態例１のチェーンリングカバーＡの構成に、発光機能を持たせたものである。
【００３４】
上記下カバー１又は上カバー２を半透明又は光を透過する材質から形成し、上記チェーンリングカバーのＡ´内側に発光装置としてＬＥＤ７を備えさせている。電源の一例としては、通常の自転車の前輪に備えられているダイナモ（図示省略）を使用する。
【００３５】
この様に、チェーンリングカバーＡ´に発光装置を内蔵することで、当該チェーンリングカバーＡ´を光らせることが出来、特に、夜間など奇麗である。また、チェーンリングカバーＡ´が光ることで自身の存在を他人に伝えることが出来、安全である。
【００３６】
上記実施の形態例１では、下カバー１及び上カバー２としての具体的な構成を記載しているが、下カバー１及び上カバー２の構成はこれらに限るものではなく、他の構成のものでも良い。
【００３７】
また、チェーンリングカバーＡの下カバー１をクランクＣに取付けているが、当該下カバー１をチェーンリングＢに取付ける構成としても良い。また、上カバー２にも小切欠き２ｂを設けているが無くても良い場合もある。
【００３８】
また、下カバー１と上カバー２を一体にするのに、上カバー２の各係止爪２ｃを下カバー１の各切抜き１ｅに入れて係止しており、また、下カバー１のねじ孔１ｆと上カバー２の孔２ｄの位置を合わせ外側からねじ６を螺着して、下カバー１と上カバー２を固定しているが、下カバー１と上カバー２を一体にする手段、また、下カバー１と上カバー２を固定する手段はこれらのものに限らず、着脱が容易なものであれば、他の雄雌形状の着脱手段、係止手段又は嵌合手段でも良く、これら以外の手段によるものでも良い。
【００３９】
また、上記実施の形態例２では、特殊ボルト３の頭部の上面に六角形状の孔３ｃを設けているがこれに限らず、工具の先端が入る凹部を設けたものでも良い。
【００４０】
また、実施の形態例２では、発光装置として、ＬＥＤ７を使用しているが、発光装置としてはＬＥＤ７に限定するものではなく、もちろん通常の電球でも良いし、その他の発光装置でも良い。さらに、発光装置の電源としてダイナモを使用しているが他の電源を用いても良い。
【符号の説明】
【００４１】
Ａ    チェーンリングカバー          Ａ´  チェーンリングカバー
Ｂ    チェーンリング      Ｃ    クランク            Ｄ    クランク軸
１    下カバー            ２    上カバー            ３    特殊ボルト
５    ボルト              ６    ねじ                ７    ＬＥＤ
【図１】
0003202328.tif 000003
【図２】
0003202328.tif 000004
【図３】
0003202328.tif 000005
【図４】
0003202328.tif 000006
【図５】
0003202328.tif 000007
【図６】
0003202328.tif 000008
【図７】
0003202328.tif 000009
【図８】
0003202328.tif 000010
【図９】
0003202328.tif 000011
【図１０】
0003202328.tif 000012
【図１１】
0003202328.tif 000013
【図１２】
0003202328.tif 000014
【図１３】
0003202328.tif 000015
【図１４】
0003202328.tif 000016
【図１５】
0003202328.tif 000017